(57)【特許請求の範囲】
【請求項１】
吊りボルトを挟持するようにしてその吊りボルトに取り付けられる取付部と、電線の結線部を収容するとともに前記電線が挿通する挿通部およびその挿通部から前記結線部が抜け出さないよう保持する抜け止め手段を備える収容部と、からなる配線用ジョイントボックスであって、
前記取付部は、前記吊りボルトを挟持するように、前記吊りボルトの径方向の一方側の周面に当接する第１の取付分割体と、前記吊りボルトの径方向の他方側の周面に当接する第２の取付分割体とに分割されて、前記第１の取付分割体と前記第２の取付分割体とを閉じることで、前記吊りボルトに取り付けられ、かつ、
前記収容部は、その収容部内の収容空間の一方側を被うとともに前記挿通部の一方側を形成する第１の収容分割体と、前記収容空間の他方側を被うとともに前記挿通部の他方側を形成する第２の収容分割体とに分割されて、前記第１の収容分割体と前記第２の収容分割体とを閉じることで、前記収容空間内に前記結線部を収容し、
前記第１の取付分割体と前記第１の収容分割体とは、それらの左右方向の一端がつながっていて第１のボックス分割体を構成し、同様に、
前記第２の取付分割体と前記第２の収容分割体とは、それらの左右方向の一端がつながっていて第２のボックス分割体を構成し、
前記第１のボックス分割体と前記第２のボックス分割体とを、前記第１の取付分割体と前記第２の取付分割体とのそれぞれの左右方向の他端で、互いに開閉自在となるように回動可能に連結する連結手段と、前記第１のボックス分割体と前記第２のボックス分割体とを互いに閉じた状態に保持する保持手段と、を備えることを特徴とする配線用ジョイントボックス。
【請求項２】
前記抜け止め手段は、前記挿通部の近傍において前記電線を結束保持するバンド部材からなることを特徴とする請求項１に記載の配線用ジョイントボックス。
【請求項３】
前記抜け止め手段は、前記第１の収容分割体本体および前記第２の収容分割体本体からそれぞれ内側に向かって突出し、先端部分が前記挿通部を形成するとともに前記電線を挟持する抜け止め片からなることを特徴とする請求項１に記載の配線用ジョイントボックス。
【発明の詳細な説明】
【０００１】
【発明の属する技術分野】
この発明は、吊りボルトに取り付けられる配線用ジョイントボックスに関するものである。
【０００２】
【従来の技術】
従来の配線用ジョイントボックスとして、例えば、実公平３−５３５４１号に示される電線接続箱２１があった。この電線接続箱２１は、図６および図７に示すように、基台２２と、電線２３の結線部２３ａを収容するカバー２４とから構成されていた。そして、基台２２は、吊りボルト２５を挟持する取付部２６と、電線２３を掛止するようにして保持する電線保持部２７とからなっていた。さらに、取付部２６は、一対のクランプ部材２６ａ、２６ａに分割されてなり、それらクランプ部材２６ａ、２６ａは、吊りボルト２５を挟持するようネジ止めされて、その吊りボルト２５に取り付けられた。一方、カバー２４は、上部が閉じ、下部が開口した円筒形に形成されており、基台２２に形成された溝２２ａ、２２ａに上方から嵌合するようにして、その基台２２に取り付けられた。こうして、カバー２４は、基台２２の電線保持部２７に保持された電線２３の結線部２３ａを被うようにして、その結線部２３ａを収容した。
【０００３】
【発明が解決しようとする課題】
ところで、かかる従来の電線接続箱２１にあっては、吊りボルト２５への取付作業と電線２３の結線部２３ａの収容作業とは、別々に行わなければならず、特に、二重天井内のように、狭く、暗い場所での施工は、困難であった。また、吊りボルト２５へ取り付けるための取付部２６を備えた基台２２と、電線２３の結線部２３ａを収容するカバー２４とが別体に形成されて、それらが結線部２３ａの収容作業前においては分離しているので、それらの取り扱いや保管が面倒であった。
【０００４】
この発明は、上記した従来の欠点を解決するためになされたものであり、その目的とするところは、吊りボルトへの取付作業と電線の結線部の収容作業とを同時に行うことができ、しかも取り扱いや保管の容易な配線用ジョイントボックスを提供することにある。
【０００５】
【課題を解決するための手段】
この発明に係る配線用ジョイントボックスは、前記目的を達成するために、次の構成からなる。すなわち、
請求項１に記載の発明は、吊りボルトを挟持するようにしてその吊りボルトに取り付けられる取付部と、電線の結線部を収容するとともに前記電線が挿通する挿通部およびその挿通部から前記結線部が抜け出さないよう保持する抜け止め手段を備える収容部と、からなる。そして、前記取付部は、前記吊りボルトを挟持するように、前記吊りボルトの径方向の一方側の周面に当接する第１の取付分割体と、前記吊りボルトの径方向の他方側の周面に当接する第２の取付分割体とに分割されて、前記第１の取付分割体と前記第２の取付分割体とを閉じることで、前記吊りボルトに取り付けられ、かつ、前記収容部は、その収容部内の収容空間の一方側を被うとともに前記挿通部の一方側を形成する第１の収容分割体と、前記収容空間の他方側を被うとともに前記挿通部の他方側を形成する第２の収容分割体とに分割されて、前記第１の収容分割体と前記第２の収容分割体とを閉じることで、前記収容空間内に前記結線部を収容する。そして、前記第１の取付分割体と前記第１の収容分割体とは、それらの左右方向の一端がつながっていて第１のボックス分割体を構成し、同様に、前記第２の取付分割体と前記第２の収容分割体とは、それらの左右方向の一端がつながっていて第２のボックス分割体を構成する。さらに、配線用ジョイントボックスは、前記第１のボックス分割体と前記第２のボックス分割体とを、前記第１の取付分割体と前記第２の取付分割体とのそれぞれの左右方向の他端で、互いに開閉自在となるように回動可能に連結する連結手段と、前記第１のボックス分割体と前記第２のボックス分割体とを互いに閉じた状態に保持する保持手段と、を備える。
【０００６】
こうして、連結手段により、第１のボックス分割体と第２のボックス分割体とが、互いに開閉自在となるように回動可能に連結される。すなわち、連結手段により、第１の取付分割体と第２の取付分割体とが、互いに開閉自在、つまり、取付部が開閉自在となり、かつ、第１の収容分割体と第２の収容分割体とが、互いに開閉自在、つまり収容部が開閉自在となる。また、保持手段により、第１のボックス分割体と第２のボックス分割体とが、互いに閉じた状態に保持される。すなわち、保持手段により、第１の取付分割体と第２の取付分割体とが、互いに閉じた状態に保持、つまり、取付部が閉じた状態に保持され、かつ、第１の収容分割体と第２の収容分割体とが、互いに閉じた状態に保持、つまり、収容部が閉じた状態に保持される。このとき、取付部は、その第１の取付分割体と第２の取付分割体とが吊りボルトを挟持して、その吊りボルトに取り付けられる。そして、収容部は、その第１の収容分割体と第２の収容分割体とが、電線の結線部を収容する収容空間の一方側と他方側とをそれぞれ被うようにして、その結線部を収容する。さらに、第１の収容分割体と第２の収容分割体とが、電線が挿通する挿通部の一方側と他方側とをそれぞれ形成しており、その挿通部の一方側と他方側とで、電線を挟み通すこととなる。
【０００７】
そして、抜け止め手段により、電線の結線部は、挿通部から抜け出すことなく収容空間に保持される。
【０００８】
また、請求項２に記載の発明のように、前記抜け止め手段は、前記挿通部の近傍において前記電線を結束保持するバンド部材からなってもよい。こうして、収容部に備わるバンド部材が、挿通部の近傍において電線を結束保持することで、電線の結線部は、挿通部から抜け出すことなく収容空間に保持される。
【０００９】
また、請求項３に記載の発明のように、前記抜け止め手段は、前記第１の収容分割体本体および前記第２の収容分割体本体からそれぞれ内側に向かって突出し、先端部分が、前記挿通部を形成するとともに前記電線を挟持する抜け止め片からなってもよい。こうして、内側に向かって突出する抜け止め片が、電線を挟持することで、電線の結線部は、挿通部から抜け出すことなく収容空間に保持される。
【００１０】
【発明の実施の形態】
以下、この発明に係る配線用ジョイントボックスの実施の形態を図面に基づいて説明する。
【００１１】
図１ないし図４は、本発明に係る配線用ジョイントボックスの第一の実施の形態を示す。この配線用ジョイントボックス１は、例えば、二重天井内に吊設された吊りボルト２に取り付けられて、電線３の結線部３ａを収容するものであり、例えば、難燃ポリプロピレン樹脂等の合成樹脂材料により成形されている。４は、吊りボルト２を挟持するようにしてその吊りボルト２に取り付けられる取付部、そして、５は、吊りボルト２の側方にて電線３の結線部３ａを収容するとともに電線３が挿通する挿通部としての開口部５ａを備える収容部である。
【００１２】
取付部４は、吊りボルト２を挟持するように、吊りボルト２の周面を被う円筒形状が縦方向に二分するように分割された、第１の取付分割体４ａと第２の取付分割体４ｂとで構成されている。すなわち、第１の取付分割体４ａは、半円筒形状で、その内側が吊りボルト２の径方向の一方側の周面に当接し、第２の取付分割体４ｂは、同じく半円筒形状で、その内側が吊りボルト２の径方向の他方側の周面に当接することとなる。
【００１３】
収容部５は、下面に前記開口部５ａが矩形形状に形成された縦長略直方体の箱型形状が、縦方向に二分するように分割された、第１の収容分割体５ｂと第２の収容分割体５ｃとで構成されている。すなわち、第１の収容分割体５ｂは、横断面略コの字形状で、収容部５内の収容空間５ｄの一方側を被うとともに開口部５ａの一方側を形成し、第２の収容分割体５ｃは、同じく横断面略コの字形状で、前記収容空間５ｄの他方側を被うとともに開口部５ａの他方側を形成することとなる。さらに、第１の収容分割体５ｂと第２の収容分割体５ｃとの合わさる部分は、それぞれ、開口部５ａを除く全周が側方外側に向かって突出するように形成されたつば部５ｅ、５ｆとなっている。また、第１の収容分割体５ｂには、その内面に沿うようにつば部５ｅから突出する、嵌合部５ｇが形成されており、その嵌合部５ｇは、第２の収容分割体５ｃの内面に形成された段部５ｈと嵌合するようになっている。また、第１の収容分割体５ｂの横断面略コの字形状の内側底面部分には、円形形状をした段部５ｉ、５ｉおよび薄肉部５ｊ、５ｊが、同心状に形成されており、これらは、この配線用ジョイントボックス１を、吊りボルト２に取り付けるのではなく、建築物の壁面等にねじ止めする場合に利用される他の取付部５ｋ、５ｋとなっている。つまり、第１の収容分割体５ｂの内側から、薄肉部５ｊ、５ｊを突き破るようにしてネジが挿入されて、そのネジが建築物の壁面等にねじ込まれる。その際、段部５ｉ、５ｉは、ネジ頭の座面となる。
【００１４】
そして、第１の取付分割体４ａと第１の収容分割体５ｂとは、それらの左右方向の一端がつながっていて第１のボックス分割体１ａを構成しており、同様に、第２の取付分割体４ｂと第２の収容分割体５ｃとは、それらの左右方向の一端がつながっていて第２のボックス分割体１ｂを構成している。さらに、第１のボックス分割体１ａと第２のボックス分割体１ｂとは、それらの第１の取付分割体４ａと第２の取付分割体４ｂとのそれぞれの左右方向の他端が、連結手段としてのヒンジ部１ｃにより連結されている。このヒンジ部１ｃは、第１のボックス分割体１ａや第２のボックス分割体１ｂとともに一体に樹脂成形された薄肉部からなり、第１のボックス分割体１ａと第２のボックス分割体１ｂとを互いに開閉自在となるように回動可能に連結するものである。
【００１５】
また、第１の収容分割体５ｂおよび第２の収容分割体５ｃには、第１のボックス分割体１ａと第２のボックス分割体１ｂとを互いに閉じた状態に保持するための、掛止部としての掛止枠１ｄと被掛止部としての被掛止片１ｅとからなる保持手段１ｆが設けられている。掛止枠１ｄは、第１の収容分割体５ｂの左右方向の他端側のつば部５ｅから、スリット状の孔１ｇを形成するように側方外側に向かって枠状に突出している。被掛止片１ｅは、第２の収容分割体５ｃの左右方向の他端側のつば部５ｆから、前記孔１ｇに挿入されるように突出し、先端部分に爪１ｈを備えている。こうして、第１のボックス分割体１ａと第２のボックス分割体１ｂとを互いに閉じると同時に、被掛止片１ｅが、掛止枠１ｄが形成する孔１ｇに挿入され、その被掛止片１ｅの爪１ｈが掛止枠１ｄに掛かり止められて、第１のボックス分割体１ａと第２のボックス分割体１ｂとは、互いに閉じた状態に保持される。そして、掛止枠１ｄから被掛止片１ｅの爪１ｈを外せば、第１のボックス分割体１ａと第２のボックス分割体１ｂとは、互いに開くことが可能となる。
【００１６】
さらに、第１の収容分割体５ｂには、下端側のつば部５ｅから下方に突出するように延びる第１の突出片５ｍが形成されており、同様に、第２の収容分割体５ｃには、第１の突出片５ｍと対向するよう、下端側のつば部５ｆからか下方に突出するように延びる第２の突出片５ｎが形成されている。そして、この第２の突出片５ｎから、開口部５ａの下方部分に向かって延びて、開口部５ａの近傍において電線３を結束保持することで、開口部５ａから電線３の結線部３ａが抜け出さないよう、その結線部３ａを収容空間５ｄに保持する抜け止め手段としてのバンド部材５ｐが形成されている。このバンド部材５ｐには、その長手方向に並ぶように多数のリブ５ｑ、５ｑが形成されており、バンド部材５ｐは、第１の突出片５ｍに形成された孔５ｒおよび第２の突出片５ｎに形成された係合孔５ｓを貫通するように挿入されたとき、このリブ５ｑにより抜け止めされるようになっている。
【００１７】
次に、以上の構成からなる配線用ジョイントボックスの作用効果について説明する。ヒンジ部１ｃにより、第１のボックス分割体１ａと第２のボックス分割体１ｂとが、互いに開閉自在となるように回動可能に連結されることで、第１の取付分割体４ａと、第２の取付分割体４ｂとが、互いに開閉自在、つまり、取付部４が開閉自在となり、かつ、第１の収容分割体５ｂと第２の収容分割体５ｃとが、互いに開閉自在、つまり収容部５が開閉自在となる。また、保持手段１ｆにより、第１のボックス分割体１ａと第２のボックス分割体１ｂとが、互いに閉じた状態に保持されることで、第１の取付分割体４ａと第２の取付分割体４ｂとが、互いに閉じた状態に保持、つまり、取付部４が閉じた状態に保持され、かつ、第１の収容分割体５ｂと第２の収容分割体５ｃとが、互いに閉じた状態に保持、つまり、収容部５が閉じた状態に保持される。このとき、取付部４は、その第１の取付分割体４ａと第２の取付分割体４ｂとが吊りボルト２を挟持して、その吊りボルト２に取り付けられる。そして、収容部５は、その第１の収容分割体５ｂと第２の収容分割体５ｃとが、電線３の結線部３ａを収容する収容空間５ｄの一方側と他方側とをそれぞれ被うようにして、つまり、収容空間５ｄを挟むようにして、その結線部３ａを収容する。さらに、第１の収容分割体５ｂと第２の収容分割体５ｃとが、電線３が挿通する開口部５ａの一方側と他方側とをそれぞれ形成しており、その開口部５ａの一方側と他方側とで、結線部３ａ下方の電線３を挟み通すこととなる。このように、第１のボックス分割体１ａと第２のボックス分割体１ｂとを閉じることで、吊りボルト２への取付作業と電線３の結線部３ａの収容作業とを同時に行うことができる。
【００１８】
また、第１の取付分割体４ａと第１の収容分割体５ｂとは、つながって第１のボックス分割体１ａを構成し、第２の取付分割体４ｂと第２の収容分割体５ｃとは、つながって第２のボックス分割体１ｂを構成し、さらに、これら第１のボックス分割体１ａと第２のボックス分割体１ｂとは、ヒンジ部１ｃにより連結され、こうして、第１の取付分割体４ａ、第１の収容分割体５ｂ、第２の取付分割体４ｂおよび第２の収容分割体５ｃは、一体となっているので、取り扱いや保管が容易である。しかも、第１の取付分割体４ａ、第１の収容分割体５ｂ、第２の取付分割体４ｂおよび第２の収容分割体５ｃは、一体に樹脂成形されており、その製造が容易である。
【００１９】
図５は、本発明に係る配線用ジョイントボックスの第二の実施の形態を示す。第二の実施の形態における配線用ジョイントボックス１１は、第一の実施の形態における配線用ジョイントボックス１と比較すると、収容部５の形状が円筒であること、抜け止め手段が、バンド部材５ｐの代わりに、弾性突片状の複数の抜け止め片１２、１２からなることを除いて、その構造は、ほぼ同様である。抜け止め片１２、１２は、第１の収容分割体本体１３および第２の収容分割体本体１４の下端からそれぞれ内側に向かって突出しており、先端部分が、電線が挿通する挿通部としての開口部５ａを形成するとともに結線部３ａ下方の電線３を挟持するようになっている。したがって、収容部５を閉じるだけで、電線３を挟持することができる。さらに、抜け止め片１２、１２は、放射状に分割されており、それらの先端部分が上下に屈曲可能となっている。よって、電線３のボリュームに応じて、抜け止め片１２の先端部分が上下に屈曲し、電線３を挟持することとなる。
【００２０】
この第二の実施の形態における配線用ジョイントボックス１１は、取付部４が第１の取付分割体４ａと第２の取付分割体４ｂとからなる点、収容部５が第１の収容分割体５ｂと第２の収容分割体５ｃとからなる点、第１の取付分割体４ａと第１の収容分割体５ｂとがつながっている点、第２の取付分割体４ｂと第２の収容分割体５ｃとがつながっている点、第１の取付分割体４ａと第２の取付分割体４ｂとがヒンジ部１ｃにより連結されている点等は、第１の実施の形態と同様であり、その作用効果も同様である。
【００２１】
なお、本発明は、上述した実施の形態に限定されるわけではなく、その他種々の変更が可能である。例えば、ヒンジ部１ｃを取付部４に設け、保持手段１ｆを収容部５に設けなくとも、その逆にヒンジ部１ｃを収容部５に設け、保持手段１ｆを取付部４に設けてもよい。また、保持手段１ｆを構成する掛止部を第２のボックス分割体１ｂに形成し、被掛止部を第１のボックス分割体１ａに形成してもよい。さらに、ヒンジ部１ｃは、収容部５の上端に設けてもよい。また、開口部５ａは、収容部５の下面に設けなくとも、側面または上面に設けてもよい。また、ヒンジ部１ｃを、第１のボックス分割体１ａおよび第２のボックス分割体１ｂとともに一体に樹脂成形しなくとも、第１のボックス分割体１ａと第２のボックス分割体１ｂとを別体に樹脂成形し、それらを蝶番により連結してもよい。
【００２２】
また、第二の実施の形態において、抜け止め片１２、１２つき、電線が挿通する挿通部としての開口部５ａを、先端部分に形成する例について述べたが、それらの先端部分が容易に上下に屈曲するものであれば、開口部５ａは、必ずしも必要ではない。すなわち、それらの先端部分が開口部を形成しないように互いに当接し合って閉じていても、外力を加えてそれらの先端部分を撓ませることにより、電線を挿通させる挿通部を容易に形成することができる。したがって、この発明に係る配線用ジョイントボックスにおいて、電線が挿通する挿通部は、必ずしも常に開口している開口部である必要はない。
【００２３】
【発明の効果】
以上、詳述したところから明らかなように、この発明に係る配線用ジョイントボックスによれば、第１のボックス分割体と第２のボックス分割体とを閉じることで、吊りボルトへの取付作業と電線の結線部の収容作業とを同時に行うことができる。しかも、第１の取付分割体と第１の収容分割体とは、つながって第１のボックス分割体を構成し、第２の取付分割体と第２の収容分割体とは、つながって第２のボックス分割体を構成し、さらに、これら第１のボックス分割体と第２のボックス分割体とは、連結手段により連結され、こうして、第１の取付分割体、第１の収容分割体、第２の取付分割体および第２の収容分割体は、一体となっているので、取り扱いや保管が容易である。
【図面の簡単な説明】
【図１】  この発明の第一の実施の形態の、結線部を収容した配線用ジョイントボックスを示す斜視図である。
【図２】  同じく、開いた状態の配線用ジョイントボックスを示す正面図である。
【図３】  同じく、開いた状態の配線用ジョイントボックスを示す底面図である。
【図４】  図２における、Ａ−Ａ線による断面図である。
【図５】  この発明の第二の実施の形態の、結線部を収容した配線用ジョイントボックスを示す斜視図である。
【図６】  従来の、配線用ジョイントボックスを示す分解斜視図である。
【図７】  同じく、結線部を収容した従来の配線用ジョイントボックスを示す斜視図である。
【符号の説明】
１  配線用ジョイントボックス        １ａ  第１のボックス分割体
１ｂ  第２のボックス分割体          １ｃ  ヒンジ部（連結手段）
１ｄ  掛止枠（掛止部）              １ｅ  被掛止片（被掛止部）
１ｆ  保持手段                      ２  吊りボルト
３  電線                            ３ａ  結線部
４  取付部                          ４ａ  第１の取付分割体
４ｂ  第２の取付分割体              ５  収容部
５ａ  開口部（挿通部）                        ５ｂ  第１の収容分割体
５ｃ  第２の収容分割体              ５ｄ  収容空間
５ｐ  バンド部材（抜け止め手段）    １１  配線用ジョイントボックス
１２  抜け止め片（抜け止め手段）    １３  第１の収容分割体本体
１４  第２の収容分割体本体
【図１】
0003892552.tif 000002
【図２】
0003892552.tif 000003
【図３】
0003892552.tif 000004
【図４】
0003892552.tif 000005
【図５】
0003892552.tif 000006
【図６】
0003892552.tif 000007
【図７】
0003892552.tif 000008